(57)【要約】      （修正有）【課題】使用者の負担を低減できる収納体を提供する。【解決手段】水ファントム６０中における放射線量の測定に用いられる線量計プローブ２０を収納する収納体８０であって、線量計プローブ２０が収納される有底中空筒状の収納部３０と、収納部３０の底に着脱可能であり、収納部３０の筒構造における中心軸上を延出するように取り付けられる筒状の先端部４０とを備える。【選択図】図１
0003205750.tif 000002
【実用新案登録請求の範囲】
【請求項１】
水ファントム中における放射線量の測定に用いられる線量計プローブを収納する収納体であって、
前記線量計プローブが収納される有底中空筒状の収納部と、
前記収納部の底に着脱可能であり、前記収納部の筒構造における中心軸上を延出するように取り付けられる筒状の先端部とを備える
収納体。
【請求項２】
前記先端部には、長さが異なる複数種類の先端部が含まれる
請求項１に記載の収納体。
【請求項３】
前記収納部と前記先端部とは、螺合結合により取り付けられる
請求項１又は２に記載の収納体。
【請求項４】
前記収納部の前記底側の側面及び前記先端部の前記底と接する底面側の側面のそれぞれには、さらに、螺合結合時のねじ込み量を確認するためのマーキングが施されている
請求項３に記載の収納体。
【請求項５】
前記収納部には、さらに、前記収納部の側面の周方向に沿って、複数の前記先端部の長さに応じた複数のマーキングが施されている
請求項２〜４のいずれか１項に記載の収納体。
【考案の詳細な説明】
【技術分野】
【０００１】
本考案は、水ファントムに使用する線量計プローブを収納する収納体に関する。
【背景技術】
【０００２】
従来、人体の内部に形成された腫瘍に対して放射線を照射することで治療を行う放射線治療が知られている。この放射線治療で用いられる放射線を照射する放射線治療装置は、腫瘍以外の正常な部位へ放射線が照射されず、腫瘍に対して高精度に所望の線量の放射線を照射することが望ましい。放射線治療装置の精度及び線量を疑似的に測定するために、人体の放射線吸収及びＸ線散乱にほぼ近似する効果を示す水を主体に構成された水ファントムが使用されている。水ファントム内の複数個所での線量を測定するために、線量計プローブを水ファントム内で移動させる位置決め手段を備える水ファントム装置が開示されている（特許文献１）。
【０００３】
しかし、位置決め手段を備えると水ファントム装置が複雑となるので、簡易的に線量を測定する位置を変更するのに、水ファントム内に有底中空筒状の鞘を固定し、鞘内部の空間に線量計プローブを収納した収納体を挿入し線量の測定が行われている。収納体を用いて測定位置を変更する場合、収納体に収納されている線量計プローブの位置を移動させる、又は鞘に挿入されている収納体の位置を移動させると、線量計プローブと収納体、又は収納体と鞘との間に空洞ができる。空洞ができると正確な線量を測定できない。そのため、線量の測定位置に応じたサイズの収納体を複数用意し、測定位置を変更するたびに測定位置に応じた収納体に線量計プローブを収納しなおして測定を行っている。
【先行技術文献】
【特許文献】
【０００４】
【特許文献１】特開２００４−１２９６７８号公報
【考案の概要】
【考案が解決しようとする課題】
【０００５】
しかしながら、測定位置を変更して測定を行うためには、測定位置と同数の収納体を準備する必要があり、経済的負担も大きく、また収納体を保管するための場所が必要となる。つまり、収納体を用いて測定位置を変更する場合、収納体の保管において、使用者の負担が大きくなる。
【０００６】
そこで、本考案は、上記問題に鑑みてなされたものであり、使用者の負担を低減できる収納体を提供することを目的とする。
【課題を解決するための手段】
【０００７】
上記目的を達成するために、本考案の一形態に係る収納体は、水ファントム中における放射線量の測定に用いられる線量計プローブを収納する収納体であって、前記線量計プローブが収納される有底中空筒状の収納部と、前記収納部の底に着脱可能であり、前記収納部の筒構造における中心軸上を延出するように取り付けられる筒状の先端部とを備える。
【０００８】
これにより、先端部を取り替えることで水ファントム内における線量計プローブの位置、つまり線量を測定する位置を変更することができる。よって、線量の測定位置に応じて収納部を用意する必要がなく、１種類の収納部に線量の測定位置に応じた先端部に取り替えることで線量を測定する位置を変更することができる。これにより、用意する収納部の数を減らすことができる。つまり、収納体を保管するために要する保管場所を小さくすることができるので、使用者の保管に対する負担を軽減できる。
【０００９】
また、前記先端部には、長さが異なる複数種類の先端部が含まれる。
【００１０】
これにより、線量を測定したい位置の数に応じて先端部を用意し、測定位置に応じて先端部を取り替えることで、線量の測定位置を変更できる。
【００１１】
また、前記収納部と前記先端部とは、螺合結合により取り付けられる。
【００１２】
これにより、先端部が収納部と容易に脱着できる。よって、先端部を取り換えるといった簡単な作業で線量を測定する位置を変更できる。
【００１３】
また、前記収納部の前記底側の側面及び前記先端部の前記底と接する底面側の側面のそれぞれには、さらに、螺合結合時のねじ込み量を確認するためのマーキングが施されている。
【００１４】
これにより、前記収納部と前記先端部とを螺合結合する際、ねじ込み過ぎによる収納部の破損を抑制できる。
【００１５】
また、前記収納部には、さらに、前記収納部の側面の周方向に沿って、複数の前記先端部の長さに応じた複数のマーキングが施されている。
【００１６】
これにより、収納体を有色である鞘に収納した際、マーキングを確認するといった簡単な作業で収納部に取り付けられている先端部の種類が特定できる。
【考案の効果】
【００１７】
本考案によれば、使用者の負担を低減できる収納体を提供することができる。
【図面の簡単な説明】
【００１８】
【図１】図１は、水ファントムを用いて線量を測定する測定システムの構成を示す分解斜視図である。
【図２】図２は、実施の形態に係る収納部の一例を示す断面図である。
【図３】図３は、実施の形態に係る先端部の一例を示す断面図である。
【図４】図４は、実施の形態に係る鞘の一例を示す断面図である。
【図５】図５は、収納部と先端部との螺合結合を説明するための図である。
【図６】図６は、実施の形態に係る収納体の一例を示す正面図である。
【図７】図７は、先端部の種類と水ファントム内でのセンサ部の位置との関係を示す概略図である。
【考案を実施するための形態】
【００１９】
以下、本考案の実施の形態について、図面を用いて詳細に説明する。なお、以下で説明する実施の形態は、いずれも包括的又は具体的な例を示すものである。以下の実施の形態で示される数値、形状、材料、構成要素、構成要素の配置及び接続形態、製造工程、及び製造工程の順序などは、一例であり、本考案を限定する主旨ではない。以下の実施の形態における構成要素のうち、独立請求項に記載されていない構成要素については、任意の構成要素として説明される。
【００２０】
なお、図面に示される構成要素の大きさ又は大きさの比は、必ずしも厳密ではない。また、各図において、実質的に同一の構成に対しては同一の符号を付しており、重複する説明は省略又は簡略化する。
【００２１】
（実施の形態）
図１〜図７を用いて実施の形態を説明する。なお、各図において、Ｘ軸、Ｙ軸及びＺ軸は、三次元直交座標系の三軸を表している。Ｘ軸及びＹ軸は、互いに直交し、かつ、いずれもＺ軸に直交する軸である。Ｚ軸は、収納部の筒構造における中心軸と平行な方向である。Ｘ軸及びＹ軸は、中心軸に垂直で、かつ、互いに直交する方向である。
【００２２】
［測定システムの構成］
図１は、水ファントムを用いて線量を測定する測定システムの構成を示す分解斜視図である。図１において、測定システム１０は、線量計プローブ２０、収納部３０、先端部４０、鞘５０、水ファントム６０、及びＸ線発生装置７０を備える。なお、収納部３０に先端部４０が取り付けられ一体となったものを収納体８０とする。
【００２３】
図１の矢印は、各構成要素が収納される向きを示している。線量計プローブ２０は収納部３０に矢印の向きに収納される。収納体８０は先端部４０を下（Ｚ軸マイナス方向）にして鞘５０に収納される。鞘５０は、水ファントム６０の水中に伸びるように水ファントム６０に固定される。
【００２４】
以下において、それぞれの構成について説明する。
【００２５】
［線量計プローブ］
線量計プローブ２０は、Ｘ線などの線量測定に用いられるプローブ及びケーブルである。図１は、線量計プローブ２０のセンサ部２１と、センサ部２１と表示器を備える線量計表示器（図示しない）などとを接続するケーブル２２の一部とを図示している。センサ部２１は、例えば、直径４．３ｍｍの指頭形である。また、ケーブル２２は直径７．０ｍｍの円柱状である。なお、直径４．３ｍｍは、指頭形の円柱状部分の直径を示す。また、例えば、センサ部２１は、イオンチェンバである。
【００２６】
なお、線量計プローブ２０は所望の線量測定ができるものであれば、線量計プローブ２０の種類、形状及びサイズなどは特に限定されない。
【００２７】
［収納部］
収納部３０は、線量計プローブ２０が収納される有底中空筒体である。また、収納部３０は、例えば、Ｘ線を照射した場合に水等価の材質（樹脂など）から形成される。Ｘ線を照射した場合に水等価の材質であれば、収納部３０の材質は、特に限定されない。
【００２８】
図１に示すように、収納部３０は線量計プローブ２０を収納する空間を有するセンサ収納部３１と、先端部４０と螺合結合するためのネジ部３２とを有する。センサ収納部３１の先端部４０側の側面（Ｚ軸マイナス方向の側面）には、第１マーキング３３が施されている。後述するが、先端部４０の収納部３０側の側面（Ｚ軸プラス方向側の側面）にもマーキング４１が施されている。第１マーキング３３及びマーキング４１は収納部３０と先端部４０とを螺合結合する際の位置合わせに用いられる。本実施の形態では、収納部３０に設けられている第１マーキング３３は、φ１．２ｍｍ、深さ０．２ｍｍの穴である。第１マーキング３３が設けられる位置は、例えば、収納部３０を平面視（Ｚ軸に対して垂直視）した際の底に対応する輪郭線と第１マーキング３３の中心との最短距離が１ｍｍとなる位置である。また、本実施の形態では、第１マーキング３３を認識しやすくするために、穴に黒色の墨入を行っている。なお、第１マーキング３３の形状及び墨入は、これに限定されない。第１マーキング３３の形状は、矩形、三角形、又は矢印でもよいし、その他の形状でもよい。また穴ではなく、側面の表面に目印となるものを取り付ける又は記載してもよい。墨入は行わなくてもよい。また、図１では第１マーキング３３は１か所設けられている例について説明したが、第１マーキング３３は複数あってもよい。
【００２９】
また、センサ収納部３１の線量計プローブ２０が挿入される側の側面（Ｚ軸プラス方向側の側面）の周方向に沿って３本の第２マーキング３４が施されている。詳細は後述するが、第２マーキング３４は収納体８０を鞘５０に挿入した際、収納部３０に結合されている先端部４０の種類を特定するために用いられる。なお、第２マーキング３４の本数は３本に限定されない。第２マーキング３４の本数は、収納部３０に結合される先端部４０の種類を特定できる本数であればよい。また、３本の第２マーキング３４の間隔は、例えば等間隔に設けられている。３本の第２マーキング３４の間隔は、例えば１５ｍｍである。なお、第２マーキング３４の間隔は、これに限定されない。第２マーキング３４の間隔は、収納部３０に結合される先端部４０の種類を特定できる間隔であればよい。
【００３０】
図２は、収納部３０の一例を示す断面図である。図２に示すように収納部３０のセンサ収納部３１は、内部に線量計プローブ２０を収納するための空間３５を有する。空間３５の形状は線量計プローブ２０と略同じ形状を有する。線量計プローブ２０がセンサ収納部３１に収納された際、線量計プローブ２０とセンサ収納部３１との間に空洞ができると正確な線量を測定できないためである。これにより、センサ収納部３１の空間３５に線量計プローブ２０が空洞を形成することなく収納され、精度よく線量を測定することができる。なお、ここで、空間的に空洞があっても線量測定に影響がない程度の空洞は、上記の「空洞を形成することなく」に含まれる。例えば、空間３５のうち線量計プローブ２０のセンサ部２１が収納される部分は直径４．４ｍｍの指頭形である。例えば、空間３５のうち線量計プローブ２０のケーブル２２が収納される部分は直径７．２ｍｍの円柱状である。なお、直径４．４ｍｍは、指頭形の円柱状部分の直径を示す。
【００３１】
図２に示すように空間３５は収納部３０の底と対向する面の一方を貫通している。つまり、空間３５は開口部を有する。開口部から線量計プローブ２０がセンサ収納部３１に挿入される。なお、線量計プローブ２０がセンサ収納部３１に挿入される際、線量計プローブ２０のセンサ部２１からセンサ収納部３１に挿入される。また、例えば、空間３５は空間３５の中心軸とセンサ収納部３１の中心軸とが略一致するように設けられている。そして、例えば、線量計プローブ２０は線量計プローブ２０の中心軸と空間３５の中心軸とが略一致するように挿入される。
【００３２】
また、図２に示すように、ネジ部３２は、センサ収納部３１の底（Ｚ軸マイナス方向の面）から、センサ収納部３１の平面視における長辺方向（Ｚ軸マイナス方向）に突出して形成されている。ネジ部３２は、例えば、Ｍ８の雄ネジである。ネジ部３２は、例えば、円柱状に形成されている。ネジ部３２は、例えば、ネジ部３２の中心軸とセンサ収納部３１の中心軸とが略一致するように形成されている。なお、本実施の形態では、収納部３０はネジ部３２を有している例について説明したが、収納部３０はネジ部３２を有していなくてもよい。例えば、収納部３０はネジ穴を有していてもよい。
【００３３】
収納部３０の平面視における長辺方向の長さは、例えば、２００．５ｍｍである。センサ収納部３１の平面視における長辺方向の長さは、例えば、１９８ｍｍである。ネジ部３２の平面視における長辺方向の長さは、例えば、２．５ｍｍである。また、収納部３０の平面視における長辺方向に対する空間３５の長さは、例えば、１９０．４ｍｍである。また、センサ収納部３１の外径は、例えば、直径１２ｍｍである。なお、収納部３０の各構成要素のサイズは、上記に限定されない。また、図２に示すようにセンサ収納部３１の外径は、センサ収納部３１の長手方向のどの場所でも常に略一定である。
【００３４】
また、本実施の形態では、図１及び図２に示すように収納部３０の種類は１種類のみである。
【００３５】
［先端部］
先端部４０は、収納部３０の底に着脱可能であり、収納部３０の筒構造における中心軸上（Ｚ軸マイナス方向）を延出するように取り付けられる筒状体である。先端部４０は、例えば、円筒体である。先端部４０は、例えば、収納部３０と同じ材質で形成されている。先端部４０は、例えば、Ｘ線を照射した場合に水等価の材質（樹脂など）から形成される。Ｘ線を照射した場合に水等価の材質であれば、先端部４０の材質は、特に限定されない。
【００３６】
先端部４０の収納部３０側の側面（Ｚ軸プラス方向側の側面）には、マーキング４１が施されている。マーキング４１は、先端部４０が収納部３０に螺合結合により取り付けられる際、ねじ込み過ぎにより収納部３０のネジ部３２が破損してしまうことを抑制するために設けられている。具体的には、収納部３０及び先端部４０がネジにより螺合結合される際、ねじ込みされた状態（ねじ込み過ぎておらず、収納部３０及び先端部４０が結合されている状態）で収納部３０の第１マーキング３３及び先端部４０のマーキング４１は長辺方向（Ｚ軸方向）において並ぶように設けられている。これにより、第１マーキング３３及びマーキング４１の位置を確認しながらねじ込むことで、収納部３０及び先端部４０のねじ込み過ぎを抑制することができる。
【００３７】
本実施の形態では、先端部４０に設けられているマーキング４１は、収納部３０に設けられている第１マーキング３３と同形状である。マーキング４１の形状は、例えば、φ１．２ｍｍ、深さ０．２ｍｍの穴である。マーキング４１が設けられる位置は、例えば、先端部４０を平面視した際、収納部３０と接合される面に対応する輪郭線とマーキング４１の中心との最短距離が１ｍｍとなる位置である。また、マーキング４１を認識しやすくするために、穴に黒色の墨入を行っている。また、第１マーキング３３及びマーキング４１に墨入を行うことで、第１マーキング３３及びマーキング４１の位置関係がわかりやすくなる。これにより、収納部３０及び先端部４０のねじ込み過ぎを抑制することができる。なお、マーキング４１の形状及び墨入はこれに限定されない。マーキング４１の形状は、矩形、三角形、又は矢印でもよいし、その他の形状でもよい。また穴ではなく、側面の表面に目印となるものを取り付ける又は記載してもよい。墨入は行わなくてもよい。また、図１ではマーキング４１は１か所設けられている例について説明したが、マーキング４１は複数あってもよい。
【００３８】
図３は、先端部４０の一例を示す断面図である。図３の（ａ）〜（ｃ）は長手方向の長さ（Ｚ軸方向）が異なる３種類の先端部４０を示す図である。つまり、先端部４０は、複数種類ある。具体的には、図３の（ａ）は、長さが１５ｍｍである先端部４０ａを示す図である。図３の（ｂ）は、長さが３０ｍｍである先端部４０ｂを示す図である。図３の（ｃ）は、長さが４５ｍｍである先端部４０ｃを示す図である。なお、先端部４０の長さは、これらに限定されない。先端部４０の長さは、１５ｍｍより短くてもよいし、４５ｍｍより長くてもよい。例えば、先端部４０の長さは６０ｍｍ又は７５ｍｍでもよい。また、図３では先端部４０は３種類である例を示したが、先端部４０の種類の数は、これに限定されない。先端部４０の種類の数は、４種類でもよいし、５種類でもよいし、それ以上であってもよい。線量測定を行う上で、必要な長さの先端部４０があればよい。なお、図３の（ａ）〜（ｃ）に示す先端部４０の直径は、例えば、収納部３０の直径と略等しい。先端部４０の直径は、例えば、１２ｍｍである。
【００３９】
図３の（ａ）〜（ｃ）に示すように、先端部４０は収納部３０のネジ部３２と螺合結合するためのネジ穴４２を有する。ネジ穴４２は、例えば、Ｍ８の雄ネジに対応したサイズの雌ネジである。例えば、ネジ穴４２の直径は８ｍｍである。また、例えば、ネジ穴４２は、ネジ穴４２の中心軸と先端部４０の中心軸とが略一致するように設けられる。また、ネジ穴４２の深さは、例えば、３ｍｍである。なお、本実施の形態では先端部４０はネジ穴４２を有している例について説明したが、先端部４０はネジ穴４２を有していなくてもよい。例えば、先端部４０はネジ部を有していてもよい。
【００４０】
図３の（ａ）〜（ｃ）に示すように、先端部４０は、内部に空間を有していない。つまり、先端部４０は、ネジ穴４２を有する、内部が充填された円柱である。これは、先端部４０の内部に空洞があると線量が精度よく測定できないためである。
【００４１】
［鞘］
鞘５０は、水ファントム６０の水中に伸びるように水ファントム６０に固定され、収納体８０を収納する有底中空筒体である。図１に示すように鞘５０の底から水ファントム６０内に挿入される。鞘５０は、例えば、円筒体である。鞘５０は、例えば、収納部３０及び先端部４０と同じ材質で形成されている。鞘５０は、例えば、Ｘ線を照射した場合に水等価の材質（樹脂など）から形成される。Ｘ線を照射した場合に水等価の材質であれば、鞘５０の材質は、特に限定されない。また、鞘５０及び収納体８０は、同じ材質から形成されていてもよい。さらに、鞘５０は水ファントム６０内の水と接するため、防水処理が施されていることが望ましい。
【００４２】
図４は、本実施の形態に係る鞘５０の一例を示す断面図である。図４に示すように、鞘５０は、浸水部５１、保持部５２、及び開口部５３を備える。つまり、鞘５０は一体成型で製造される外径が異なる３種類の円筒体から構成されている。
【００４３】
浸水部５１は、収納体８０が収納される有底中空筒体である。浸水部５１は鞘５０が水ファントム６０に固定された際、水ファントム６０内の水に浸かっている。つまり、浸水部５１はその外周が水と接する。浸水部５１の外径は、水ファントム６０の凸部６３の内径と同じ大きさである。浸水部５１の外径は、例えば、直径１７ｍｍである。浸水部５１の内径は、収納体８０の外径と同じ大きさである。例えば、浸水部５１の内径は直径１２ｍｍである。また、図４に示すように浸水部５１の断面形状（Ｚ軸に平行な面で切断した断面形状）は、矩形である。つまり、浸水部５１の外径及び内径は、浸水部５１の長手方向のどの場所でも常に略一定である。浸水部５１の内径が長手方向のどの場所でも常に略一定であることから、収納体８０を空洞なく収納できる。また、浸水部５１の長手方向の長さは、例えば、１７０ｍｍである。
【００４４】
保持部５２は、浸水部５１と開口部５３との間に設けられる中空筒体である。保持部５２は、鞘５０が水ファントム６０に挿入された際、水ファントム６０の蓋部６２の上面によって保持される。つまり、保持部５２が蓋部６２によって保持されることで、鞘５０は水ファントム６０に位置決めされる。保持部５２の外径は、例えば、直径２１．６ｍｍである。保持部５２の内径は、例えば、直径１２ｍｍである。つまり、保持部５２の内径は、浸水部５１の内径と同じである。
【００４５】
開口部５３は、収納体８０が挿入される開口を有する中空筒体である。開口部５３の外径は、例えば、直径２８ｍである。つまり、開口部５３の直径は、凸部６３の直径より大きい。これにより、開口部５３は、鞘５０が水ファントム６０に固定された際、水ファントム６０の凸部６３の上方に固定される。
【００４６】
開口部５３の内径は、例えば、直径１２ｍｍである。つまり、開口部５３の内径は、浸水部５１及び保持部５２の内径と同じである。また、収納体８０は浸水部５１の奥まで挿入される。これにより、収納体８０が鞘５０に挿入された際、収納体８０と鞘５０との間に空洞が生じないので、線量の測定を精度良く行うことができる。また、収納体８０が鞘５０に収納された状態で、収納体８０が回転するなど収納体８０が移動することを抑制することができる。
【００４７】
［水ファントム］
水ファントム６０は、内部に水を貯めるための容器である。水ファントム６０は、図１に示すように、透明であり水を貯める貯水部６１と貯水部６１の蓋である蓋部６２とを有する。貯水部６１は、内部に水を注水するための開口（ＸＹ平面上に形成された開口）を有する。開口の形状は特に限定されないが、本実施の形態では開口の形状は円形である。蓋部６２は、例えば、貯水部６１の開口を塞ぐように貯水部６１にネジなどにより固定される。その際、貯水部６１と蓋部６２との隙間から水が漏れ出さないように、貯水部６１と蓋部６２との間にゴムパッキンなどを設けてもよい。貯水部６１に蓋部６２が取り付けられた状態で、水ファントム６０内は水で満たされている。また、水ファントム６０は、例えば、透明な材質（樹脂など）により形成されている。
【００４８】
水ファントム６０の貯水部６１の形状は、円筒状であり、その先端がドーム状となっている。本実施の形態では、人間の頭部を想定しており上記の形状となっているが、貯水部６１の形状はこれに限定されない。例えば、人間の胴体部を想定する場合には、貯水部６１の形状は長円筒状などである。貯水部６１の深さ（Ｚ軸方向の長さ）は、例えば、およそ２５ｃｍである。また、貯水部６１の開口の直径は、例えば、２０ｃｍである。
【００４９】
蓋部６２は、鞘５０を水ファントム６０内に挿入するための４つの貫通孔（図示しない）を有する。貫通孔は、平面視において蓋部６２の中心に一つとそれ以外に３つ設けられている。本実施の形態では、貫通孔は、頭部腫瘍を想定した位置に設けられている。なお、貫通孔の数及び位置は、これに限定されない。
【００５０】
貫通孔の形状は、例えば、円柱状である。貫通孔の直径は、例えば、鞘５０の浸水部５１の外径と同じ大きさである。貫通孔の直径は、例えば、１７ｍｍである。例えば、貫通孔の中心軸と鞘５０の中心軸とが一致するように、鞘５０は貫通孔に挿入される。これにより、鞘５０の浸水部５１は、貫通孔と隙間ない状態で挿入される。よって、鞘５０を挿入する際に、水ファントム６０内に満たされている水が蓋部６２の貫通孔から漏れることを抑制できる。また、鞘５０が水ファントム６０に固定された際、鞘５０の浸水部５１と貫通孔とは隙間なく固定されている。よって、鞘５０が水ファントム６０に固定されている期間も、水ファントム６０内に満たされている水が蓋部６２の貫通孔から漏れることを抑制できる。
【００５１】
また、蓋部６２の貫通孔は鞘５０の浸水部５１と同じ大きさであるため、浸水部５１より大きい保持部５２は貫通孔を通過することができない。つまり、保持部５２は蓋部６２の上面（Ｚ軸プラス側の面）によって保持される。
【００５２】
図１では、蓋部６２には４つの中空円筒状の凸部６３が設けられている。凸部６３は、鞘５０を水ファントム６０内に挿入する、及び、鞘５０を固定するために設けられている。凸部６３は、蓋部６２の貫通孔の中心軸と凸部６３の中心軸とが略一致するように、貫通孔ごとに設けられている。凸部６３の内径は、例えば、保持部５２の外径と同じ大きさである。これにより、保持部５２が蓋部６２の上面によって保持された際、凸部６３は保持部５２が移動することを抑制できる。つまり、保持部５２は蓋部６２及び凸部６３によって、水ファントム６０に固定される。また、凸部６３の内径を保持部５２の外径と同じ大きさにすることで、水ファントム６０内の水が漏れ出す、又は、空気が水ファントム６０内に侵入することを抑制できる。凸部６３の外径は、例えば、開口部５３の外径より小さければよい。
【００５３】
なお、鞘５０を水ファントム６０に固定する方法はこれに限定されない。例えば、螺合結合により鞘５０が凸部６３に固定されてもよい。
【００５４】
［Ｘ線発生装置］
Ｘ線発生装置７０は、水ファントム６０に向けて所望の線量のＸ線を照射する。Ｘ線発生装置７０の種類は、特に限定されない。
【００５５】
［収納体］
続いて、図５及び図６を用いて、収納部３０と先端部４０とが螺合結合された収納体８０について説明する。
【００５６】
まずは、図５を用いて、収納部３０と先端部４０との螺合結合について説明する。図５は、収納部３０と先端部４０との螺合結合を説明するための図である。図５の（ａ）は、収納部３０と先端部４０とが螺合結合される前の様子を示す図である。図５の（ｂ）は、収納部３０と先端部４０とが螺合結合された後の様子を示す図である。
【００５７】
上記で説明したように、本実施の形態では、収納部３０は雄ネジであるネジ部３２を有している。また、先端部４０は雌ネジであるネジ穴４２を有している。図５の（ａ）に示す矢印の向きに、ネジ部３２をネジ穴４２にねじ込むことで、収納部３０と先端部４０とが螺合結合される。
【００５８】
本実施の形態では、収納部３０のネジ部３２の長さは、２．５ｍｍである。また、先端部４０のネジ穴４２の深さは、３．０ｍｍである。つまり、ネジ部３２とネジ穴４２とが螺合によって結合されると、ネジ部３２は全てネジ穴４２に収まる。これにより、図５の（ｂ）に示すように、収納部３０の底と、先端部４０のネジ穴４２を有する面とを当接させることが可能となる。つまり、収納部３０と先端部４０とは、隙間なく結合される。収納部３０と先端部４０とが隙間なく結合されることは、線量測定において重要である。
【００５９】
収納部３０と先端部４０とが結合された状態で鞘５０に挿入される。収納部３０と先端部４０とが隙間を有している場合、鞘５０に挿入されると収納部３０、先端部４０、及び鞘５０とで囲まれる空洞が生じる（収納体８０と鞘５０との間に空洞が生じる）。上記でも説明したように、空洞が存在すると、正確な線量を測定できない。そのため、正確な線量測定を行う上で、収納部３０と先端部４０とが隙間なく結合されることが望ましい。
【００６０】
次に、収納部３０に設けられている第１マーキング３３、及び、先端部４０に設けられているマーキング４１について説明する。
【００６１】
上記のように収納部３０と先端部４０とは螺合によって結合されるが、使用されている材質の強度が弱いため、螺合結合される際、ねじ込み過ぎるとネジ部３２が破損してしまう恐れがある。第１マーキング３３及びマーキング４１は、それを抑制するために設けられている。具体的には、ねじ込みされた状態（ねじ込み過ぎておらず、結合されている状態）で収納部３０の第１マーキング３３及び先端部４０のマーキング４１は収納体８０の長辺方向（Ｚ軸方向）に並ぶ位置となるように設けられている（図６参照）。これにより、ねじ込まれた状態となる直前では、第１マーキング３３とマーキング４１とは長辺方向に並んでおらず、収納体８０の周方向に所定の距離離れている。その状態から、ねじ込みを進めると第１マーキング３３とマーキング４１との周方向に対する距離が小さくなっていく。そして、第１マーキング３３とマーキング４１との周方向に対する距離がなくなる、つまり第１マーキング３３及びマーキング４１が収納体８０の長辺方向に並ぶ位置となると、螺合結合は完了する。それ以上ねじ込みを続けると（ねじ込み過ぎると）、ネジ部３２に負荷が加わりネジ部３２が破損する恐れがある。第１マーキング３３及びマーキング４１の位置を確認しながらねじ込むことで、螺合結合によるねじ込み過ぎを抑制することができる。
【００６２】
なお、上記では収納部３０はネジ部３２、先端部４０はネジ穴４２を有し、ネジ部３２とネジ穴４２とを螺合することで結合することについて説明したが、収納部３０及び先端部４０を結合する方法はこれに限定されない。例えば、収納部３０がネジ穴を有し、先端部４０がネジ部を有し、収納部３０のネジ穴と先端部４０のネジ部とが螺合することで結合されてもよい。また、収納部３０及び先端部４０がネジ穴を有し、ネジ穴に対応した雄ネジを用いてネジ穴と雄ネジとを螺合することで、結合されてもよい。また、収納部３０及び先端部４０がネジ部を有し、ネジ部に対応したネジ穴を有するナットなどを用いてネジ部とナットとを螺合することで、結合されてもよい。収納部３０と先端部４０とが隙間なく結合することができれば、それ以外の方法で結合されてもよい。
【００６３】
図６は収納体８０をＺ軸に垂直な方向から見た（平面視した）正面図である。図６に示すように、収納部３０及び先端部４０の外径は同じ（本実施の形態では直径１２ｍｍ）であるので、収納体８０の平面視における輪郭線は矩形となる。上記で説明したように、収納部３０と先端部４０とが螺合結合された状態で、第１マーキング３３及びマーキング４１は収納体８０の長辺方向（Ｚ軸方向）に並び位置している。
【００６４】
図６に示すように、収納部３０は、周方向に第２マーキング３４を有する。本実施の形態では、３本の第２マーキング３４を有する。第２マーキング３４は、例えば、ケガキによって形成された深さ０．２ｍｍの線状の溝である。第２マーキング３４が設けられる位置は、例えば、収納部３０を平面視した際の開口を有する面に対応する輪郭線から２０ｍｍ、３５ｍｍ、及び５０ｍｍの位置である。
【００６５】
上記で説明したように、本実施の形態では、収納体８０及び鞘５０はＸ線を照射した場合に水等価の材質（樹脂など）で形成されている。収納体８０及び鞘５０は、有色である。例えば、収納体８０及び鞘５０は、クリーム色である。そのため、収納体８０を鞘５０に収納すると、収納体８０に取り付けられている先端部４０の種類（長さ）がわからなくなる。つまり、水ファントム６０内のどの位置の線量を測定しているかがわからなくなる。そこで、取り付けられている先端部４０の種類を識別するために、収納部３０に第２マーキング３４が施される。
【００６６】
例えば、収納体８０に先端部４０ａが取り付けられている場合、収納体８０の長辺方向の長さは、２１３ｍｍとなる。鞘５０内の収納体８０が収納される空間の長辺方向の長さは、１９３ｍｍである。つまり、鞘５０に収納体８０を収納した状態で、収納体８０の一部は鞘５０からはみ出している。収納体８０に先端部４０ａが取り付けられている場合、収納体８０のうち２０ｍｍ（２１３ｍｍ−１９３ｍｍ）が鞘５０からはみ出している。これにより、鞘５０に収納体８０が収納されている状態で、収納部３０の輪郭線から２０ｍｍの位置に施された第２マーキング３４を見ることができる。つまり、１本の第２マーキング３４が見えるときは、取り付けられている先端部４０が先端部４０ａであることがわかる。同様に、取り付けられている先端部４０が先端部４０ｂである場合には、第２マーキング３４は２本見え、先端部４０が先端部４０ｃである場合には、第２マーキング３４は３本見える。これにより、収納体８０が鞘５０に収納された状態において、第２マーキング３４の本数を確認するといった簡単な方法で収納体８０に取り付けられている先端部４０の種類を特定することができる。
【００６７】
また、本実施の形態では、第２マーキング３４を認識しやすくするために、溝に白色の墨入を行っている。なお、第２マーキング３４の形状及び墨入はこれに限定されない。第２マーキング３４の形状は、円形でもよいし、その他の形状でもよい。また溝ではなく、側面の表面に目印となるものを取り付ける又は記載してもよい。墨入は行わなくてもよい。
【００６８】
［線量測定位置の変更］
次に、先端部４０の取り換えによる線量測定位置の変更について説明する。上記で説明したように、収納部３０と先端部４０とは、ネジ部３２とネジ穴４２との螺合によって結合されている。そのため、収納体８０を鞘５０から抜いた状態で、結合が外れる方向に収納部３０及び先端部４０を回すことで、収納部３０から先端部４０を取り外すことができる。つまり、先端部４０は収納部３０に脱着可能である。本実施の形態では、先端部４０は先端部４０ａ〜４０ｃ（図３参照）の３種類あり、それぞれ収納部３０に脱着可能である。
【００６９】
続いて、先端部４０ａ〜４０ｃを収納部３０に取り付け、水ファントム６０内に固定された鞘５０に挿入した場合における線量測定位置、つまり線量計プローブ２０のセンサ部２１の水ファントム６０内における位置について説明する。
【００７０】
図７は、先端部４０の種類と水ファントム６０内でのセンサ部２１の位置との関係を示す概略図である。図７の（ａ）は、先端部４０ａが取り付けられている場合における、水ファントム６０内でのセンサ部２１の位置を示す図である。図７の（ｂ）は、先端部４０ｂが取り付けられている場合における、水ファントム６０内でのセンサ部２１の位置を示す図である。図７の（ｃ）は、先端部４０ｃが取り付けられている場合における、水ファントム６０内でのセンサ部２１の位置を示す図である。図７の（ａ）〜（ｃ）に示すように、先端部４０を取り替えることで、水ファントム６０内におけるセンサ部２１の位置が変わっていることがわかる。これにより、先端部４０を取り替えるといった簡単な作業で線量測定を行う位置を変更することができる。なお、図７の（ａ）〜（ｃ）では、センサ部２１、鞘５０、貯水部６１及び収納体８０のみを図示している。
【００７１】
ここで、図７の（ａ）〜（ｃ）のセンサ部２１の位置における線量測定を従来の方法で行う場合について説明する。図７（ａ）の線量測定を行う場合、２１３ｍｍのセンサ収納部を準備し線量測定を行っていた。図７（ｂ）の線量測定を行う場合、２２８ｍｍのセンサ収納部を準備し線量測定を行っていた。図７（ｃ）の線量測定を行う場合、２４３ｍｍのセンサ収納部を準備し線量測定を行っていた。つまり、２１３ｍｍ、２２８ｍｍ及び２４３ｍｍの３種類のセンサ収納部が必要であった。このように線量測定を行う位置の数だけセンサ収納部が必要であった。線量測定を行う位置が多数ある場合、多数のセンサ収納部が必要となるので、使用者はその多数のセンサ収納部を保管するために多くの場所を確保する必要があった。上記で説明したように、２０２．５ｍｍの収納部３０、及び、１５ｍｍ、３０ｍｍ、４５ｍｍの先端部４０ａ〜４０ｃのみで図７（ａ）〜（ｃ）の位置での線量測定が行えるので、本実施の形態における収納体８０は保管に要する場所を小さくすることができる。つまり、本実施の形態における収納体８０は、保管における使用者の負担を低減できる。
【００７２】
［効果など］
収納体８０は、水ファントム６０中における放射線量の測定に用いられる線量計プローブ２０を収納する収納体８０であって、線量計プローブ２０が収納される有底中空筒状の収納部３０と、収納部３０の底に着脱可能であり、収納部３０の筒構造における中心軸上を延出するように取り付けられる筒状の先端部４０とを備える。
【００７３】
これにより、先端部４０を取りつけることで水ファントム６０内における線量計プローブ２０の位置、つまり線量を測定する位置を変更することができる。よって、線量の測定位置に応じて収納部を３０用意する必要がなく、１種類の収納部３０に線量の測定位置に応じた先端部４０に取り替えることで線量を測定する位置を変更することができる。これにより、用意する収納部３０の数を減らすことができる。つまり、収納体８０を保管するために要する保管場所を小さくすることができるので、使用者の保管に対する負担を軽減できる。
【００７４】
また、先端部４０には、長さが異なる複数種類の先端部４０が含まれる。
【００７５】
これにより、線量を測定したい位置の数に応じて先端部４０を用意し、測定位置に応じて先端部４０を取り替えることで、線量の測定位置を変更できる。
【００７６】
また、収納部３０と先端部４０とは、螺合結合により取り付けられる。
【００７７】
これにより、先端部４０が収納部３０と容易に脱着できる。よって、先端部４０を取り換えるといった簡単な作業で線量を測定する位置を変更できる。
【００７８】
また、収納部３０の底側の側面及び先端部４０の底と接する底面側の側面のそれぞれには、さらに、螺合結合時のねじ込み量を確認するためのマーキング３３、４１が施されている。
【００７９】
これにより、収納部３０と先端部４０とを螺合結合する際、ねじ込み過ぎによる収納部３０の破損を抑制できる。
【００８０】
また、収納部３０には、さらに、収納部３０の側面の周方向に沿って、複数の先端部４０の長さに応じた複数の第２マーキング３４が施されている。
【００８１】
これにより、収納体８０を有色である鞘５０に収納した際、第２マーキング３４を確認するといった簡単な作業で収納部３０に取り付けられている先端部４０の種類が特定できる。
【００８２】
（他の実施の形態）
以上、１つ又は複数の態様に係る収納体について、実施の形態及に基づいて説明したが、本考案は、これらの実施の形態及び実施例に限定されるものではない。本考案の主旨を逸脱しない限り、当業者が思いつく各種変形を本実施の形態に施したもの及び異なる実施の形態における構成要素を組み合わせて構築される形態も、本考案の範囲内に含まれる。
【００８３】
例えば、実施の形態では測定位置に応じて異なる長さの先端部４０に取り換える説明をしたが、これに限定されない。例えば、同じ長さの先端部４０を複数個用意し、測定位置に応じて先端部４０を取り付ける数量を変更してもよい。
【００８４】
これにより、収納体８０の保管場所をさらに減らすことができる。つまり、さらに、保管における使用者の負担を低減することができる。
【産業上の利用可能性】
【００８５】
本考案は、収納体を用いて水ファントムにおける線量測定を行う装置に用いることができる。
【符号の説明】
【００８６】
１０  測定システム
２０  線量計プローブ
２１  センサ部
２２  ケーブル
３０  収納部
３１  センサ収納部
３２  ネジ部
３３  第１マーキング
３４  第２マーキング
３５  空間
４０、４０ａ、４０ｂ、４０ｃ  先端部
４１  マーキング
４２  ネジ穴
５０  鞘
５１  浸水部
５２  保持部
５３  開口部
６０  水ファントム
６１  貯水部
６２  蓋部
６３  凸部
７０  Ｘ線発生装置
８０  収納体
【図１】
0003205750.tif 000003
【図２】
0003205750.tif 000004
【図３】
0003205750.tif 000005
【図４】
0003205750.tif 000006
【図５】
0003205750.tif 000007
【図６】
0003205750.tif 000008
【図７】
0003205750.tif 000009